(57)【要約】【課題】撮像装置の輸送中において、外部から撮像装置の内部への異物の侵入を防止でき、かつ撮像装置の内部からの異物を除去することができる高解像度の撮像装置及び携帯電子機器を提供する。【解決手段】撮像装置は、被写体の光学像を撮像素子１に集光させるレンズ３、レンズ３を収容し、被写体側の天面４ａの中央部に透光孔４ｄを有するレンズホルダ４、レンズホルダ４と係合するアウタホルダ５及びレンズホルダ４の天面４ａを露出させる開口部６ａを有し、かつ、レンズホルダ４及びアウタホルダ５を包囲するカバー６とを備え、カバー６の天面６ｂに貼着させるための接着層２０を有するとともにカバー６の開口部６ａを塞ぐフイルムシート２１をカバー６の天面６ｂに設け、フイルムシート２１は、接着層２０がレンズホルダ４の天面４ａと隙間ｈを設けて対向して配置され、かつ携帯電子機器に組み込む際に取り外すものである。【選択図】図１
2012018204.tif 000002
【特許請求の範囲】
【請求項１】
被写体の光学像を撮像素子に集光させるレンズと、該レンズを収容し、かつ、被写体側の天面の中央部に透光孔を有するキャップ状のレンズホルダと、そのレンズホルダと係合するアウタホルダと、前記レンズホルダの前記天面を露出させる開口部を有し、かつ、前記レンズホルダ及び前記アウタホルダを包囲するカバーとが備えられた撮像装置であって、前記カバーの天面に貼着させるための接着層を有するとともに前記カバーの開口孔を塞ぐフイルムシートを前記カバーの天面に設け、該フイルムシートは、前記接着層が前記レンズホルダの前記天面と隙間を設けて対向して配置され、かつ携帯電子機器に組み込む際に取り外されるものであることを特徴とする撮像装置。
【請求項２】
前記フイルムシートの粘着力を０．１〜２０（ｇｆ）／２５ｍｍ幅としたことを特徴とする請求項１に記載の撮像装置。
【請求項３】
前記カバーの開口部以外は密閉構造であることを特徴とする請求項１又は請求項２に記載の撮像装置。
【請求項４】
撮像装置の輸送の際に輸送ケースの底面に前記フイルムシートを近接又は接触した状態で対向設置したものであることを特徴とする請求項１又は請求項２に記載の撮像装置。
【請求項５】
請求項１ないし請求項４のいずれかに記載の撮像装置が備えられていることを特徴とする携帯電子機器。
【発明の詳細な説明】
【技術分野】
【０００１】
本発明は、１枚又は複数枚のレンズから入射した被写体の光学像を画像信号として検出する撮像素子などを備えている撮像装置及びこの撮像装置を備えたデジタルスチルカメラやカメラ機能付の携帯電話機のような携帯電子機器に関する。
【背景技術】
【０００２】
近年、携帯電話等に用いる撮像装置は、小型化や高解像度化が要望されている。
小型化の要望に対しては、デジタルスチルカメラやカメラ機能付の携帯電話機のような携帯電子機器に備えられる撮像装置においては、フォーカシングやズーミングのため、レンズ鏡筒を移動させる機能が備えられている。そして、レンズ鏡筒を移動させるための手段として、形状記憶合金を使用することで、省スペース化を図った撮像装置が各種提案されている。
【０００３】
例えば特許文献１には、撮像レンズを効率よく移動でき、携帯端末に内蔵するのに好適なレンズ鏡胴及びこのレンズ鏡胴を備えた撮像装置が記載されている。
【０００４】
このレンズ鏡胴は、図１３に示すように、撮像素子１０１を実装した基板１０２が筒状の地板（カバー）１０３の下面に固定され、被写体の光学像を撮像素子１０１に結像させる撮像レンズ１０４を保持する第１鏡枠（レンズホルダ）１０５とこの第１鏡枠１０５の外側に嵌める第２鏡枠（アウタホルダ）１０６とが地板１０３内に収納され、紐状に形成された形状記憶合金１０７が撮像レンズ１０４の光路Ｏを横切るように配置されている。
【０００５】
そして、このレンズ鏡筒は、通電によって形状記憶合金１０７を収縮させることで、第２鏡枠１０６を被写体側に移動するようにされている。したがって、このレンズ鏡筒は、形状記憶合金１０７が第２鏡枠１０６を効率よく移動させることにより、小型・薄型の携帯端末に好適に内蔵することができる。
【０００６】
なお、第１鏡枠１０５と第２鏡枠１０６とは、螺合され、第１鏡枠１０５を回転させることで、撮像レンズ１０４が光軸の方向に移動し、撮像素子１０１に対してピント調整することができるようにされている。
【０００７】
また、高解像度化の要望に対しては、例えば特許文献２には、ゴミが筐体内に進入して、画質低下することを抑制するために、図１４に示すように、所定面２００ａを有し内部を密閉可能とするケース部材（カバー）２００において、所定面２００ａの中央部に光通過用の第１円形領域２００ｂが設けられ、所定面２００ａに、第１円形領域２００ｂよりも直径が小さい光通過用の第２円形領域２０１ｂを中央部に設けた両面粘着性の遮光シート２０１が、第１円形領域２００ｂに対して第２円形領域２０１ｂが同心円状に位置するように貼り合わされ、遮光シート２０１上に透明な防塵フィルム２０２が貼り合わされている撮像装置が提案されている。
【先行技術文献】
【特許文献】
【０００８】
【特許文献１】特開２００７−０７８９５４号公報
【特許文献２】特開２００９−１０５７７１号公報
【発明の概要】
【発明が解決しようとする課題】
【０００９】
特許文献１に記載されたレンズ鏡筒を製造するには、第１鏡枠１０５を保持して回転させるペンチの様な回転工具が使用される。しかし、レンズ鏡筒が非常に小型化されている上に、第１鏡枠１０５が地板１０３の表面よりも奥まった位置に収納されていることから、前記工具を第１鏡枠１０５に当てて鏡枠の位置を調整しにくいだけでなく、前記回転工具が撮像レンズ１０４、第１鏡枠１０５、蓋部材１０８の開口部１０８ａなどに当たってしまい、撮像レンズ１０４、第１鏡枠１０５、蓋部材１０８の開口部１０８ａなどを傷付けることがあり、その傷から異物が発生するという問題があった。
【００１０】
特許文献２に記載された撮像装置において、カバー２００に取り付けられた防塵フィルム２０２では、輸送時に内部から発生した異物が一部付着したり、その表面が損傷又は変形したりして、撮影した際に解像度が劣化するという問題があった。また、輸送時に内部から発生した異物および予めカバー内部に残存した異物がレンズ表面、撮像素子又は赤外カットフィルター面に付着したりして、撮影した際に画像劣化するという問題があった。
【００１１】
本発明は、上記従来の問題を解決するもので、撮像装置の輸送中において、外部から撮像装置の内部への異物の侵入を防止でき、かつ撮像装置の内部からの異物を除去することができる高解像度の撮像装置及び携帯電子機器を提供する。
【課題を解決するための手段】
【００１２】
請求項１に係る撮像装置は、被写体の光学像を撮像素子に集光させるレンズと、該レンズを収容し、かつ、被写体側の天面の中央部に透光孔を有するキャップ状のレンズホルダと、そのレンズホルダと係合するアウタホルダと、前記レンズホルダの前記天面を露出させる開口部を有し、かつ、前記レンズホルダ及び前記アウタホルダを包囲するカバーとが備えられた撮像装置であって、前記カバーの天面に貼着させるための接着層を有するとともに前記カバーの開口孔を塞ぐフイルムシートを前記カバーの天面に設け、該フイルムシートは、前記接着層が前記レンズホルダの前記天面と隙間を設けて対向して配置され、かつ携帯電子機器に組み込む際に取り外されるものであることを特徴とする。
【００１３】
この撮像装置によれば、フイルムシートは、接着層がレンズホルダの天面と隙間を設けて対向して配置されているため、撮像装置の輸送中において、外部から撮像装置の内部への異物の侵入を防止でき、かつ撮像装置の内部からの異物を接着層に付着させて除去することができる。また、フイルムシートは、携帯電子機器に組み込む際に取り外すものであるから、フイルムシートの表面が損傷や変形しても光学的な影響がないので高解像度の撮像装置を提供することができる。
【００１４】
また、請求項２に係る撮像装置は、前記フイルムシートの粘着力を０．１〜２０（ｇｆ）／２５ｍｍ幅としたことを特徴とする。
【００１５】
この撮像装置によれば、フイルムシートの粘着力は０．１〜２０（ｇｆ）／２５ｍｍ幅にすることで、内部の異物があった場合にも、ゴミ取り除くことができかつ、良好に剥がすこともできる。
【００１６】
また、請求項３に記載された撮像装置では、カバーの開口部以外は密閉構造であることを特徴とする。
【００１７】
この撮像装置によれば、例えば、撮像装置の輸送前において、撮像装置の密閉状態を検査する場合に、雰囲気温度を高温にすることでカバーの透光孔部のフイルムシートが外側方向へ突状に湾曲変形するので、そのフイルムシートの変形状態を確認することで、撮像装置の密閉状態を検査することができる。
【００１８】
また、請求項４に記載された撮像装置では、撮像装置の輸送の際に輸送ケースの底面に前記フイルムシートを近接又は接触した状態で対向設置したものであることを特徴とする。
【００１９】
この撮像装置によれば、撮像装置が逆さまに向いているため、撮像装置の内部から落下した異物をフイルムシート内面の接着層に貼着することができる。
また、請求項５に係る携帯電子機器は、請求項１ないし請求項４のいずれかの撮像装置が備えられていることを特徴としている。
【００２０】
この携帯電子機器によれば、撮像装置を装着されたものはフイルムシートが取り除かれているため、高解像度の携帯電子機器を提供することができる。
【発明の効果】
【００２１】
本発明によれば、フイルムシートの接着層がレンズホルダの天面と隙間を設けて対向して配置されているため、撮像装置の輸送中において、異物の侵入を防止及び撮像装置の内部からに異物を接着層に付着することができる。また、撮像装置に設けられたフイルムシートは、携帯電子機器に組み込む際に、撮像装置から取り外すものであるから、フイルムシートの表面が損傷や変形しても光学的な影響がないので高解像度の撮像装置および携帯電子機器を提供することができる。
【図面の簡単な説明】
【００２２】
【図１】本発明に係る撮像装置の第１の実施形態を示す縦断面図
【図２】本発明に係る撮像装置の第１の実施形態を示す平面図
【図３】同上撮像装置に設けられるフイルムシートを示す平面図
【図４】（ａ）は、同上撮像装置が収納された輸送ケースを示す平面図、（ｂ）は、同上撮像装置が収納された輸送ケースを示す縦断面図
【図５】本発明に係る撮像装置の第２の実施形態を示す縦断面図
【図６】本発明に係る撮像装置の第２の実施形態を示す平面図
【図７】本発明に係る撮像装置の第３の実施形態を示す縦断面図
【図８】本発明に係る撮像装置の第４の実施形態を示す縦断面図
【図９】本発明に係る撮像装置の第４の実施形態を示す平面図
【図１０】本発明に係る撮像装置の第５の実施形態を示す縦断面図
【図１１】本発明に係る撮像装置の第６の実施形態を示す縦断面図
【図１２】（ａ）は、撮像装置が設置される携帯機器を示した図、    （ｂ）は、携帯機器の撮像装置設置部を示した図
【図１３】従来の撮像装置（レンズ鏡胴）を示す縦断面図
【図１４】従来の防塵フィルムを備えた撮像装置を示す縦断面図
【発明を実施するための形態】
【００２３】
デジタルスチルカメラやカメラ機能付の携帯電話機のような携帯電子機器に備えられる撮像装置の第１の実施形態について図１ないし図３を参照しながら説明する。
【００２４】
この撮像装置は、撮像素子１を実装した基板２と、基板２上に接着剤１３により固定され、中央部に透光部を構成するための開口部１４ａを有するベース部材１４と、被写体の光学像を撮像素子１に集光させる１枚又は複数枚のレンズ３と、このレンズ３を収容したレンズホルダ４と、このレンズホルダ４と係合し、かつ、レンズホルダ４を回転させることにより光軸方向に移動可能にしたアウタホルダ５と、レンズホルダ４の天面４ａを露出させる透光孔である開口部６ａを有し、かつ、レンズホルダ４及びアウタホルダ５を包囲するカバー６とを備えている。
【００２５】
また、カバー６の天面６ｂには、接着層２０を有するとともにカバー６の開口部６ａを塞ぐフイルムシート２１が設けられ、フイルムシート２１の接着層２０は、レンズホルダ４の天面４ａに貼着するとともにレンズホルダ４の天面４ａと隙間ｈを設けて対向して配置されている。そして、フイルムシート２１は、携帯電子機器に組み込む際に撮像装置から取り外されている。
【００２６】
また、ベース部材１４上の外周端部にカバー６が挿入され、例えば、前記それぞれの外周端部全周は、撮像装置の内部が密閉状態を保たれるように、アクリル系、ウレタン系、ゴム系又はシリコーン系等の接着剤からなる接着層１５により固着されている。かかる構成により、例えば、撮像装置の輸送前において、撮像装置の密閉状態を検査する場合に、撮像装置の内部が密閉されておれば、雰囲気温度を高温にすることでカバー６の開口部６ａに位置するフイルムシート２１が外側方向へ突状に湾曲変形するので、フイルムシート２１の変形状態を確認することで、撮像装置の密閉状態を検査することができる。
【００２７】
フイルムシート２１は、図２、図３に示すように、カバー６の天面６ｂ領域より若干小さく、かつカバー６の開口部６ａ領域より大きい防塵部２１ａと、カバー６の天面６ｂ領域から突出したシート剥がし部２１ｂと、防塵部２１ａ上に設けられた接着層２０とから構成されている。そして、厚みが０．０２ｍｍ〜０．２ｍｍのポリエステル、ナイロン、ポリプロピレン、ポリエチレン、ポリスチレン等の樹脂フィルムの基材に、ＪＩＳ  Ｚ０２３７に準拠される粘着力が０．１（ｇｆ）／２５ｍｍ幅〜２０（ｇｆ）／２５ｍｍ幅、好ましくは、粘着力が１（ｇｆ）／２５ｍｍ幅〜５（ｇｆ）／２５ｍｍ幅の接着層２０を設けたものである。
【００２８】
この構成により撮像装置の内部に発生した異物を接着層２０に付着させて除去することができ、かつ、カバー６の天面６ｂに付着されているフイルムシート２１をカバー６の天面６ｂから良好に剥がすことができる。なお、接着層２０は、少なくともカバー６の天面６ｈに貼着され、かつレンズホルダ４の天面４ａの一部と直接対向する位置に設けられたものである。つまり、カバー６の天面６ｈにフイルムシート２１を貼着し密閉することで異物の侵入を防止し、かつレンズホルダ４の天面４ａと対向する接着層２０により、撮像装置の内部からに異物を付着させものである。そして、異物が付着したフイルムシート２１を、携帯電子機器に組み込む際に撮像装置から取り外すことで、高解像度の携帯電子機器を提供することができる。
【００２９】
レンズホルダ４は、図1に戻り、被写体側の天面４ａの中央部に透光部である開口孔４ｄを有したキャップ状のもので、天面４ａの裏面に、例えばレンズ３の外周部が重なり合い位置決めされている。また、レンズホルダ４の外周に雄ネジ４ｂが形成され、アウタホルダ５の内面に雌ネジ５ａが形成され、両ネジ４ｂ，５ａが螺合するように構成されている。そして、カバー６の開口部６ａを両ネジ４ｂ，５ａの螺合部の有効径より大きくしている。なお、レンズホルダ４の光軸方向の移動を両ネジ４ｂ，５ａの螺合で説明したが、これに限らず、特開２００８−２５０１３４等に記載されているカム機構等を利用してもよい。
【００３０】
また、カバー６は、被写体側に開口部６ａを有するように鍔部６ｂを設けたものであり、この鍔部６ｂの内側、すなわち開口部６ａからレンズ３が露出し、開口部６ａよりも奥側にある撮像素子側にレンズホルダ４の天面４ａが配置されている。
【００３１】
そして、この第１の実施形態の撮像装置は、例えば、オートフォーカスの機能を備えたものであり、アウタホルダ５とカバー６との間に角筒状のフレーム７が配置され、このフレーム７の先端にアウタホルダ５の先端部を弾性的に支持する支持部材８が固定され、レンズホルダ４及びアウタホルダ５をフレーム７に対して光軸方向に進退させるアクチュエータ９を備えたものである。
【００３２】
支持部材８としては、例えば環状の板バネが使用され、弾性によって、レンズ３が基準位置に常時、位置するように構成されている。また、アクチュエータ９は、例えば通電によって熱収縮する直径が１０〜１００μｍのワイヤの形状記憶合金が採用され、一端部がアウタホルダ５の撮像素子１側の基端部に取り付けられ、他端部が被写体側のフレーム７の先端部に取り付けられる。なお、オートフォーカスの応答性の観点から、形状記憶合金の直径は、２７〜４０μｍ程度であることが好ましい。
【００３３】
また、この形状記憶合金が昇温し、長さ方向に収縮すると、支持部材８である前記板バネに対抗して、レンズホルダ４及びアウタホルダ５が被写体側に前進し、形状記憶合金が降温し、長さ方向に伸長すると、支持部材８である前記板バネの付勢力により、レンズホルダ４及びアウタホルダ５が奥側にある撮像素子１側に退入するように構成されている。この構成により、形状記憶合金であるアクチュエータ９がアウタホルダ５とフレーム７との間に位置しているので形状記憶合金が長さ方向に伸縮しても形状記憶合金によりアウタホルダ５又はフレーム７が磨耗して塵埃が発生するのを防止できる。
次に、撮像装置が収納された輸送ケース３０の実施形態について、図４を参照しながら説明する。
【００３４】
輸送ケース３０は、撮像装置を収納部３０ａおよび収納部３０ａの上蓋３０ｂで構成された、保管又は通い箱に用いるものである。そして、収納部３０ａにおいて、矩形状をなす底板３１に撮像装置に設けられたフイルムシート２１を接触状態で対向させると共に、底板３１の周囲四方にそれぞれ設けられる仕切体３２ａ、３２ｂ、３２ｃ、３２ｄに撮像装置のカバー６の外壁面６ｄを当接又は近接して撮像装置を位置決め収納されている。また、フイルムシート２１のシート剥がし部２１ｂは、損傷を低減するために、逃げ部３３が設けられている。さらに、撮像装置のカバー６における４つの角部６ｊには、撮像装置が着脱しやすくするための逃げ部３４が設けられている。
【００３５】
かかる構成により、撮像装置の輸送の際に輸送ケース３０の底面にフイルムシート２１を対向させて設置することにより、上記輸送ケース３０を輸送中において、撮像装置が逆さまに向いているため、撮像装置の内部から異物が落下し、フイルムシート３１の接着層に異物を付着することができる。また、カバー６の開口部６ａを両ネジ４ｂ，５ａの螺合部の有効径より大きくしているので、特に両ネジ４ｂ，５ａの螺合部からの磨耗粉が発生してもフイルムシート３１の接着層２０に付着することができる。
【００３６】
次に、デジタルスチルカメラやカメラ機能付の携帯電話機のような携帯電子機器に備えられる撮像装置の第２の実施形態について、図５、図６を参照しながら説明する。なお、図５、図６の部材において、第１の実施形態を示した図１及び図２の部材と形状が異なっているものの、作用機能が同一であるものについては、同一符合を付して説明する。
【００３７】
そして、レンズホルダ４の光軸方向の位置調整は、第１の実施形態を示したカバー６の天面６ｈにフイルムシート２１を貼着する前に行われ、その点について第２の実施形態を用いて説明する。
【００３８】
カバー６の開口部６ａからレンズホルダ４の天面４ａの方に入れられる回転工具１０によって、レンズホルダ４を容易に回転させるため、レンズホルダ４の天面４ａの表面に保持部とする複数の凹部４ｃ（図５では４か所）を等間隔に設けたことを特徴としている。そして、凹部４ｃは好ましくは３〜８個がよい。つまり３個未満の場合は回転工具１０の被保持部とする凸部との係合するに要する時間が長くなり、また８個超の場合は保持部の強度が弱くなり凹部４ｃが形成しにくくなるからである。
【００３９】
回転工具１０は、軸部１０ａの先端（図面において下端）に端盤１０ｂが設けられ、この端盤１０ｂに被保持部とする複数の凸部１０ｃを設けたものである。したがって、レンズホルダ４の凹部４ｃは、回転工具１０に設けられた凸部１０ｃを嵌め入れることができる位置及び大きさに設けられる。すなわち、回転工具１０は、軸部１０ａを回転軸として端盤１０ｂ及び凸部１０ｃが回転するため、レンズホルダ４の天面４ａの凹部４ｃは、中心から等距離に設けられる。
【００４０】
また、レンズホルダ４の天面４ａの複数の凹部４ｃを円に結んだラインの外径は、レンズホルダ４の雄ネジ４ｂの谷径及びカバー６の開口部６ａの内径よりも小さくしてある。こうすることにより、回転工具１０を開口部６ａからレンズホルダ４の天面４ａの方に容易に入れることができる。
【００４１】
そして、回転工具１０を保持する保持手段６ｃがカバー６の被写体側に設けられている。この保持手段６ｃは、カバー６の開口部６ａであり、すなわち、鍔部６ｄの開口部６ａ内周面に設けられている。この開口部６ａ内周面が回転工具１０の端盤１０ｂの外周を囲繞する。こうすることにより、回転工具１０の凸部１０ｃがレンズホルダ４の凹部４ｃの方に誘導され、回転工具１０の凸部１０ｃをレンズホルダ４の凹部４ｃに係止しやすいものとなる。
【００４２】
回転工具１０の凸部１０ｃをレンズホルダ４の凹部４ｃに係止しやすいというのは、図示したように、レンズホルダ４に４か所の凹部４ｃが設けられていると、カバー６の開口部６ａからレンズホルダ４の天面４ａの方に誘導された回転工具１０の凸部１０ｃが凹部４ｃに係止しなくても、最大９０°回転させると、係止するからである。
【００４３】
そして、回転工具１０を回転させることで、レンズホルダ４を光軸方向に移動させ、レンズ３を透過した被写体の光学像が撮像素子１に集光できるように位置調整する。このとき、回転工具１０の凸部１０ｃがレンズホルダ４の凹部４ｃに係止していることにより、回転工具１０がずれてレンズ３に衝突するようなことはなく、したがって、塵埃の発生を防止することができる。
【００４４】
また、レンズホルダ４の天面４ａがカバー６の開口部６ａよりも奥側に配置されていることによっても、撮像装置が落下したときに、衝撃力がレンズホルダ４に加えられず、レンズ３が撮像素子１の受光部に対して位置ずれしないことから、初期の状態で集光させることができるものとなっている。
【００４５】
次に、デジタルスチルカメラやカメラ機能付の携帯電話機のような携帯電子機器に備えられる撮像装置の第３の実施形態について、図７を参照しながら説明する。なお、図７中の部材において、第１の実施形態を示した図１及び図２の部材と形状が異なっているものの、作用機能が同一であるものについては、同一符合を付して説明する。
【００４６】
この撮像装置も第１の実施形態と同じく、撮像素子１を実装した基板２と、被写体の光学像を撮像素子１に集光させるレンズ３と、このレンズ３を収容したレンズホルダ４と、このレンズホルダ４を光軸方向に移動可能に外嵌したアウタホルダ５と、レンズホルダ４及びアウタホルダ５を包囲するカバー６とが備えられている。
【００４７】
ただし、この撮像装置は、オートフォーカス機能が備えられておらず、そのため、第１の実施形態におけるフレーム７及びアクチュエータ９を備えていない。この撮像装置の他の構成は、第１の実施形態と同じであり、レンズホルダ４の先端に内向きに突出した天面４ａに、回転工具１０の凸部１０ｃを係止する複数の凹部４ｃが等間隔に設けられ、また、カバー６が、被写体側に開口部６ａを有するように鍔部６ｂを設けたものであり、開口部６ａからレンズ３が露出し、開口部６ａよりも奥側にレンズホルダ４の天面４ａが配置される。
【００４８】
回転工具１０も、第１の実施形態で説明したものと同じであり、回転工具１０を回転させることで、レンズホルダ４を光軸方向に移動させ、レンズ３を透過した被写体の光学像が撮像素子１に集光できるように位置調整する。このとき、回転工具１０の凸部１０ｃがレンズホルダ４の凹部４ｃに係止していることにより、回転工具１０がずれてレンズ３に衝突するようなことはなく、したがって、塵埃の発生を防止することができる。
【００４９】
また、レンズホルダ４の天面４ａがカバー６の開口部６ａよりも奥側に配置されていることによっても、撮像装置が落下したときに、衝撃力がレンズホルダ４に加えられず、レンズ３が撮像素子１の受光部に対して位置ずれしないことから、初期の状態で集光させることができるものとなっている。
【００５０】
次に、デジタルスチルカメラやカメラ機能付の携帯電話機のような携帯電子機器に備えられる撮像装置の第４の実施形態について図８、図９を参照しながら説明する。なお、図８、図９中の部材において、第１の実施形態を示した図１及び図２の部材と形状が異なっているものの、作用機能が同一であるものについては、同一符合を付して説明する。
【００５１】
この第４の実施形態の撮像装置は、第１の実施形態とは、特に、位置調整されたレンズホルダ４が、アウタホルダ５と接着剤１１による接着又は溶着によって固着される点が相違する。この接着剤１１又は溶着によって固着される部位は、図示したような１か所であっても、図示しない複数箇所であってもよい。いずれにしても、レンズホルダ４がアウタホルダ５に固着されることにより、撮像装置が落下しても、レンズホルダ４がアウタホルダ５に対して位置ずれしないようにすることができる。
【００５２】
次に、デジタルスチルカメラやカメラ機能付の携帯電話機のような携帯電子機器に備えられる撮像装置の第５の実施形態について図１０を参照しながら説明する。なお、図１０中の部材において、第１の実施形態を示した図１及び図２の部材と形状が異なっているものの、作用機能が同一であるものについては、同一符合を付して説明する。
【００５３】
この第５の実施形態の撮像装置は、図１０に示すように、第１の実施形態で説明したオートフォーカス機能を備えたものだけでなく、第２の実施形態で説明したオートフォーカス機能を備えていないものにおいても適用することができる。
【００５４】
第５の実施形態の撮像装置は、回転工具１０の保持手段６ｃをカバー６の被写体側に設けたことを特徴としている。この保持手段６ｃは、カバー６の被写体側の最外周に環状の平坦面６ｄを設け、この平坦面６ｄから内側（光軸中心側）に傾斜して立ち上がる傾斜面６ｅが設けられ、更に、この傾斜面６ｅから内側に平坦面６ｆを設けたものである。したがって、回転工具１０は、端盤１０ｂの外周側部に平坦面１０ｄを設け、この平坦面１０ｄから内側に傾斜して窪む傾斜面１０ｅが設けられ、更に、この傾斜面１０ｅから内側に平坦面１０ｆを設けたものである。
【００５５】
保持手段６ｃの傾斜面６ｅと回転工具１０の傾斜面１０ｅとが重なり合うことで、撮像装置の中心と回転工具１０の中心が一致しやすく、回転工具１０の凸部１０ｃをレンズホルダ４の凹部４ｃに係止しやすくすることができる。
【００５６】
なお、この第５の実施形態においては、回転工具１０の端盤１０ｂがカバー６の鍔部６ｂの全面を覆うため、端盤１０ｂの外周部に凸部及び／又は凹部を設け、この凸部及び／又は凹部に係止する凹部及び／又は止物をカバー６の鍔部６ｂに設けることで、保持手段６ｃとしてもよい。
【００５７】
次に、デジタルスチルカメラやカメラ機能付の携帯電話機のような携帯電子機器に備えられる撮像装置の第６の実施形態について図１１を参照しながら説明する。なお、図１１中の部材において、第１の実施形態を示した図１及び図２の部材と形状が異なっているものの、作用機能が同一であるものについては、同一符合を付して説明する。
【００５８】
この第６の実施形態の撮像装置は、図１１に示すように、第１の実施形態で説明したオートフォーカス機能を備えたものだけでなく、第２の実施形態で説明したオートフォーカス機能を備えていないものにおいても適用することができる。
【００５９】
第６の実施形態の撮像装置は、回転工具１０の保持手段６ｃがカバー６の開口部６ａ、すなわち、鍔部６ｂの内周であることを特徴としている。そして、回転工具１０が端盤１０ｂを厚くしたものとしている。
【００６０】
なお、本発明は、前記の第２ないし第６の実施形態では、第１の実施形態を示したカバー６の天面６ｈにフイルムシート２１を貼着する前の工程で説明したが、当然なことであるが前記工程後、カバー６の天面６ｈにフイルムシート２１を貼着する工程を有している。また、前記の第１ないし第６の実施形態に限定することなく、種々変更することができる。
【００６１】
例えば、回転工具１０は、被保持部として複数の凹部を設けたものとし、レンズホルダ４に、回転工具１０の凹部に係止する複数の凸部を保持部として設けたものとしてもよい。更に、回転工具１０は複数の凹部と凸部とを被保持部として設けたものとし、レンズホルダ４に、回転工具１０の凹部と凸部に係止する複数の凸部と凹部を保持部として設けたものとしてもよい。更に、レンズホルダ４の凹部４ｃ又は凸部は、天面４ａでなく、天面４ａの中間でなく、天面４ａの周囲の段差部に設けてもよい。
【００６２】
また、各実施形態において、説明した撮像装置は、図１２（ａ）、（ｂ）に示すように携帯電子機器である携帯機器Ｈの撮像装置設置部Ｈ１に設置されている。
【産業上の利用可能性】
【００６３】
本発明に係る撮像装置及び携帯電子機器は、デジタルカメラやカメラ機能付の携帯電話機、その他の小型機器を構成するものとして有効に利用することができる。
【符号の説明】
【００６４】
１  撮像素子
３  レンズ
４  レンズホルダ
４ａ  レンズホルダの天面
４ｂ  雄ネジ
４ｃ  凹部（保持部）
４ｄ  透光孔
５  アウタホルダ
５ａ  雌ネジ
６  カバー
６ａ  カバーの開口部
６ｂ  鍔部
６ｃ  保持手段
６ｈ  カバーの天面
７  フレーム
８  支持部材
９  アクチュエータ
２０  接着層
２１  フイルムシート
【図１】
2012018204.tif 000003
【図２】
2012018204.tif 000004
【図３】
2012018204.tif 000005
【図４】
2012018204.tif 000006
【図５】
2012018204.tif 000007
【図６】
2012018204.tif 000008
【図７】
2012018204.tif 000009
【図８】
2012018204.tif 000010
【図９】
2012018204.tif 000011
【図１０】
2012018204.tif 000012
【図１１】
2012018204.tif 000013
【図１２】
2012018204.tif 000014
【図１３】
2012018204.tif 000015
【図１４】
2012018204.tif 000016